(57)【特許請求の範囲】
【請求項１】
セグメント電極とコモン電極との間に液晶を配置した単純マトリクス型液晶装置を駆動するために使用される電位を生成する液晶駆動用電源回路において、
高電位線と低電位線との間にて、前記高電位線側から順に直列接続された第１〜第４のスイッチと、
前記第１，第３のスイッチをオンさせる期間と、前記第２，第４のスイッチをオンさせる期間とが、交互に繰り返されるように、前記第１〜第４のスイッチを駆動するスイッチ駆動回路と、
前記第１〜第４のスイッチにて分離された各スイッチ間の中間点を、前記高電位線側から順に第１〜第３の中間点としたとき、前記高電位線と前記第２の中間点とに接続された第１の容量と、前記第２の中間点と前記低電位線とに接続された第２の容量と、前記第１の中間点と前記第３の中間点に接続された第３の容量と、
を有し、
前記高電位線及び前記低電位線が前記セグメント電極に接続され、前記第２の中間点が前記コモン電極に接続されて、前記第１，第２の容量は、前記セグメント電極と前記コモン電極間の前記液晶層の容量にて代用され、
前記スイッチ駆動回路によるスイッチング動作によって、前記第１，第２の容量に対する前記第３の容量の接続状態が直列接続と並列接続とに交互に切り換えられて、前記第２の中間点の電位が、前記高電位線と低電位線の各電位間の中間電位に収束されることを特徴とする液晶駆動用電源回路。
【請求項２】
請求項１に記載の液晶駆動用電源回路と、
コモン電極およびセグメント電極が形成された液晶パネルと、
前記液晶駆動用電源回路から電源供給を受けて前記コモン電極を駆動するコモン電極駆動回路と、
前記液晶駆動用電源回路から電源供給を受けて前記セグメント電極を駆動するセグメント電極駆動回路と、
を有することを特徴とする液晶装置。
【請求項３】
請求項２に記載の液晶装置を有することを特徴とする電子機器。
【発明の詳細な説明】
【０００１】
【発明の属する技術分野】
本発明は、液晶駆動用電位を生成する液晶駆動用電源回路並びにそれを用いた液晶装置及び電子機器に関する。
【０００２】
【背景技術】
図２０は、抵抗分割方式を用いて液晶駆動用電位を生成する従来の液晶駆動用電源回路の構成図である。高電位Ｖ０を供給する第１の電位供給線４０１と、低電位Ｖ５を供給する第２の電位供給線４０２との間には、第１〜第５の抵抗器Ｒ１〜Ｒ５が直列接続されている。これら第１〜第５の抵抗器Ｒ１〜Ｒ５にて、電位差（Ｖ０−Ｖ５）を分圧することで、電位Ｖ０，Ｖ５間の電位Ｖ１〜Ｖ４が生成される。
【０００３】
これらの電位Ｖ０〜Ｖ５は、例えば図１６に示すような走査電極であるコモン電極に供給されるコモン信号ＣＯＭ０，ＣＯＭ１，ＣＯＭ２…と、信号電極であるセグメント電極に供給されるセグメント信号ＳＥＧｎの各種電位として利用される。図２０の例では、電位Ｖ０およびＶ５はコモン信号の選択電位、電位Ｖ１，Ｖ４はコモン信号の非選択電位となる。また、電位Ｖ０，Ｖ５はセグメント信号の例えば点灯電位、電位Ｖ２，Ｖ３はセグメント信号の例えば非点灯電位となる。
【０００４】
図２０の通り抵抗分割で各電位Ｖ１〜Ｖ４を生成する場合は、電源回路の電流駆動の能力は、分圧に使用される抵抗値の影響を受ける。駆動される側の負荷（液晶）に応じた電流駆動能力が電源回路に必要となるが、抵抗値の影響によって電源回路の電流駆動能力が異なってしまう。特に抵抗値が大きい場合であって、駆動される液晶の負荷が大きい場合には、抵抗分割されて生成される電位が不安定となる。この結果、液晶表示装置にて正常な表示が行われなくなる。液晶の負荷が大きい場合にも正常な表示を行うためには、電源回路の電流駆動能力を大きくする必要がある。このために、抵抗値を小さくする必要がある。しかし、その小さな抵抗値によって電源回路での消費電流が増えてしまう。
【０００５】
図２１は、図２０の電位Ｖ１〜Ｖ４の各出力線にボルテージフォロア型オペレーションアンプ４０３〜４０６を接続した従来の他の液晶駆動用電源回路の構成図である。各ボルテージフォロア型オペレーションアンプ４０３〜４０６にて、入力電位Ｖ１〜Ｖ４がそれぞれインピーダンス変換されて出力される。
【０００６】
図２１の例では、分割抵抗自体での消費電流を押さえることができるが、４個のボルテージフォロア型オペレーションアンプ４０３〜４０６が必要となる。このオペレーションアンプを動作させるためには、差動対等の回路が必要であるため、オペレーションアンプでの消費電流が多くなっていた。
【０００７】
【発明が解決しようとする課題】
そこで本発明は、消費電力を低減することができる液晶駆動用電源回路並びにそれを用いた液晶装置及び電子機器を提供することにある。
【０００８】
【課題を解決するための手段】
液晶装置を駆動するために使用される電位を生成する本発明の一態様に係る液晶駆動用電源回路は、
高電位線と低電位線との間に直列接続された第１〜第４のスイッチと、
前記第１，第３のスイッチをオンさせる期間と、前記第２，第４のスイッチをオンさせる期間とが、交互に繰り返されるように、前記第１〜第４のスイッチを駆動するスイッチ駆動回路と、
前記スイッチ駆動回路によるスイッチング動作によって、接続状態が直列接続と並列接続とに交互に切り換えられる複数の容量と、
を有し、前記スイッチ駆動回路のスイッチング動作によって、前記第２，第３のスイッチ間の電位が、前記高電位線と低電位線の各電位間の中間電位に収束される。
【０００９】
本発明の一形態によれば、上述したスイッチング動作によって複数の容量に充電される電荷量が安定して、第２，第３のスイッチ間の電位を、高電位線、低電位線間の電位差の中間電位に収束させることができる。
【００１０】
複数の容量に充電される電荷量が安定すると、電源回路にて電流が流れないので、消費電力を低減できる。また、複数の容量の容量値のばらつきの影響を受けることなく電位が安定するので、精度の高い電位を出力することができる。
【００１１】
第１〜第４のスイッチにて分離された各スイッチ間の中間点をそれぞれ第１〜第３の中間点としたとき、複数の容量は、前記高電位線と前記第２の中間点とに接続された第１の容量と、前記第２の中間点と前記低電位線とに接続された第２の容量と、前記第１の中間点と前記第３の中間点に接続された第３の容量とで構成することができる。
【００１２】
こうすると、上述したスイッチング動作によって、第１，第２の容量に対する第３の容量の接続状態が、直列接続と並列接続とに交互に切り換えられる。
【００１３】
この場合において、第１，第２の容量は、前記高電位線、前記低電位及び前記第２の中間点の各電位が液晶層に供給されることで形成される前記液晶層の容量にて代用することが可能である。
【００１４】
複数の容量は、前記高電位線と前記第２の中間点とに接続された第１の容量と、前記第１の中間点と前記第３の中間点に接続された第２の容量とで構成することができる。あるいは、この複数の容量は、前記第２の中間点と前記低電位線とに接続された第１の容量と、前記第１の中間点と前記第３の中間点に接続された第２の容量とで構成することができる。
【００１５】
いずれの場合も、上述したスイッチング動作によって、第１，第２の接続状態は、直列接続と並列接続とに交互に切り換えられる。
【００１６】
液晶装置を駆動するために使用される電位を生成する本発明の他の形態に係る液晶駆動用電源回路は、第１の電位供給線と第２の電位供給線との各電位間の電位を生成するメイン電源回路と、前記第１の電位供給線と前記メイン電源回路の出力線との間の電位を生成する第１のサブ電源回路と、前記メイン電源回路の出力線と前記第２の電位供給線との間の電位を生成する第２のサブ電源回路と、を有し、前記メイン電源回路および前記第１，第２のサブ電源回路の少なくとも一つに、上述の電源回路要素を用いることができる。
【００１７】
メイン電源回路、第１，第２のサブ電源回路の全てに上述の電源回路要素を用いると、１／４バイアス駆動法に用いられる５レベルの液晶駆動用電位Ｖ０〜Ｖ４を精度良く生成することができる。
【００１８】
１／４以下のバイアス駆動法に用いられる例えば６レベルの液晶駆動用電位Ｖ０〜Ｖ５を生成するには、メイン電源回路に抵抗分割方式を採用し、高電位Ｖ０と低電位Ｖ５との間の２レベルの電位Ｖ２，Ｖ３を生成し、インピーダンス変換回路（例えばオペレーションアンプで構成される）にてインピーダンス変換した電位Ｖ２，Ｖ３を用いると良い。この場合、第１のサブ電源回路は電位Ｖ０，Ｖ２間の電位Ｖ１を生成し、第２のサブ電源回路は電位Ｖ３，Ｖ５間の電位Ｖ４を生成する。
【００１９】
こうすると、従来はオペレーションアンプ４つによってインピーダンス変換して液晶電位を作成するものに対して、オペレーションアンプを２つ減らすことがでるため、チップサイズの縮小によるコストダウン及び消費電流の減少をはかることができる。
【００２０】
第２のサブ電源回路に第１〜第４のスイッチ（第１〜第４のサブスイッチ）を設けた場合、これらの各スイッチにＰ型ＭＯＳトランジスタを用いることができる。また、第２のサブ電源回路に第５〜第８のスイッチ（第５〜第８のサブスイッチ）を設けた場合、これらの各スイッチにＮ型ＭＯＳトランジスタを用いることができる。
【００２１】
Ｐ，Ｎ型ＭＯＳトランジスタにて上述のスイッチング動作を行う場合、Ｐ，Ｎ型ＭＯＳトランジスタのゲート電位を、高電位Ｖ０と低電位Ｖ５（共に走査信号の選択電位である）とを交互に印加することができる。
【００２２】
こうすると、ソース−ゲート間電圧を大きく確保できるので、同じトランジスタ能力を得るために必要となるトランジスタサイズを従来のものよりも小さく構成することができる。このため、チップサイズの縮小により電源回路のコストダウンをはかることができる。
【００２３】
本発明のさらに他の形態に係る液晶装置およびその液晶装置を有する電子機器はは、上述した液晶駆動用電源回路を備えている。この液晶装置での消費電力が低減されるので、特に携帯用電子機器に有用である。
【００２４】
【発明の実施の形態】
以下、本発明の実施の形態について図面を参照して説明する。
【００２５】
（液晶駆動用電源回路の要部の説明）
図１は、本発明の液晶駆動用電源回路の要部の構成を示す回路図である。図１において、第１の電位供給線１０５と第２の電位供給線１０６との間には、第１〜第４のスイッチ１０１〜１０４が直列接続されている。
【００２６】
これら第１〜第４のスイッチ１０１〜１０４をオン、オフ駆動するスイッチ駆動回路１０７が設けられている。このスイッチ駆動回路１０７は、第１，第３のスイッチ１０１，１０３をオンさせる期間と、第２，第４のスイッチ１０２，１０４をオンさせる期間とが、交互に繰り返されるように、第１〜第４のスイッチを１０１〜１０４駆動する。
【００２７】
このスイッチ駆動回路１０７によるスイッチング動作によって、接続状態が直列接続と並列接続とに切り換えられる複数例えば３つの第１〜第３の容量１１１〜１１３が設けられている。これら第１，第２，第３の容量１１１，１１２，１１３の容量値を、それぞれＣ１，Ｃ２，Ｃ３とする。
【００２８】
ここで、第１〜第４のスイッチ１０１〜１０４にて分離された各スイッチ間の中間点をそれぞれ第１〜第３の中間点１２１，１２２，１２３とする。第１の容量１１１は、第１の電位供給線１０５と第２の中間点１２２とに接続される。第２の容量１１２は、第２の中間点１２２と第２の電位供給線１Ｏ６とに接続される。第３の容量１１３は、第１の中間点１２１と第３の中間点１２３とに接続される。
【００２９】
この電源回路では、第１，第２の電位供給線１０５，１０６の電位ＶＡ，ＶＢと、第２の中間点１２２の電位ＶＣとが取り出される。
【００３０】
図２は、図１中の第１，第３のスイッチ１０１，１０３をオンさせ、第２，第４のスイッチ１０２，１０４をオフさせた第１の状態での回路図であり、図３は図２の等価回路図である。
【００３１】
同様に、図４は、図１中の第１，第３のスイッチ１０１，１０３をオフさせ、第２，第４のスイッチ１０２，１０４をオンさせた第２の状態の回路図であり、図５は図４の等価回路図である。
【００３２】
図３と図５との比較から分かるように、第１，第２の状態では第１，第２の容量１１１，１１３が第１，第２の電位供給線１０５，１０６間に直列接続されている点に変わりはない。第３の容量１１３は、第１の状態では第１の容量１１１と並列接続され、第２の状態では第２の容量１１２と並列接続されている。
【００３３】
第１，第３の容量１１１，１１３の関係は、第１の状態では第３の容量１１３は第１の容量１１１に並列接続され、第２の状態では第３の容量１１３は第１の容量１１１に直列接続されている。
【００３４】
同様に、第２，第３の容量１１２，１１３の関係は、第１の状態では第３の容量１１３は第２の容量１１２に直列接続され、第２の状態では第３の容量１１３は第２の容量１１２に並列接続されている。
【００３５】
このように、スイッチ駆動回路１０７のスイッチング動作によって、第３の容量１１３は第１，第２の容量１１１，１１２の双方に対して、直列接続と並列接続とが交互に繰り返されている。
【００３６】
このような第１の状態と第２の状態とを交互に繰り返すことにより、第１〜第３の容量１１１〜１１３のそれぞれの両端に印加される電圧が等しくなるように、第１〜第３の容量１１１〜１１３に蓄えられる電荷が安定する。
【００３７】
ここで、第１，第２の電位供給線１０５，１０６間の電位差をＶとする。上述したスイッチ駆動回路１０７のスイッチング動作に伴う第１〜第３の容量１１１〜１１３に蓄えられる電荷が安定するに従い、前記第２，第３のスイッチ１０２，１０３間の第２の中間点の電位ＶＣは、第１，第２の電位供給線１０５，１０６間の電位差Ｖの中間電位（Ｖ／２）に収束される。
【００３８】
第１〜第３の容量１１１〜１１３に安定した電荷が蓄えられれば、第１〜第３の容量１１１〜１１３間に流れる電流は無くなり、第１〜第４のスイッチ１０１〜１０４でのスイッチング動作に用いる電流のみとなるため、消費電流を減らすことができる。
【００３９】
この電源回路から電位ＶＡ，ＶＢ，ＶＣを液晶に供給する液晶駆動時には、液晶駆動を行うために最低限必要な、液晶での充放電電流が消費電流となるが、第２の中間点ＶＣの電位が安定している間は、液晶駆動時においても消費電流を減らすことができる。
【００４０】
しかも、図１に示す電源回路では、第１〜第３の容量１１１〜１１３の容量値Ｃ１，Ｃ２，Ｃ３が設計値に対してばらついても、上述したスイッチング動作によって第２の中間点１２２の電位ＶＣを、第１，第２の電位供給線１０５，１０６間の電位差の中間値に精度よく設定することができる。従って、従来の抵抗分割方式よりも、精度の高い電位を生成することができる。
【００４１】
なお、上述した説明では、第１〜第３の容量１１１〜１１３をそれぞれ１つの容量にて構成したが、例えば第１の容量１１１を複数の容量にて構成しても良い。第２，第３の容量１１２，１１３についても同様である。
【００４２】
図１に示す電源回路を例えば単純マトリクス型液晶装置の駆動に用いる場合、第１，第２の電位供給線１０５，１０６の電位をセグメント電極に供給し、第２の中間点１２２の電位をコモン電極に供給して用いることができる。
【００４３】
セグメント電極とコモン電極とは液晶を挟んで対向配置されるので、これらで液晶容量ＣＣＬが形成される。
【００４４】
従って、図１の電源回路を、図６のように変形することも可能である。図６では、図１に示す第１，第２の容量１１１，１１２が物理的には設けられず、液晶容量ＣＣＬにて代用されている。
【００４５】
図６の電源回路においても図１と同じスイッチング動作を繰り返すことで、図３および図５の等価回路が交互に実現され、第２の中間点１２２より第１，第２の電位供給線１０５，１０６間の電位差Ｖの中間電位（Ｖ／２）を出力させることが可能となる。
【００４６】
スイッチ駆動回路１０７によって、接続状態が直列接続と並列接続とに交互に切り換えられる複数の容量は、図７または図１０に示す第１，第２の容量で構成することもできる。
【００４７】
また、第１〜第３の容量１１１〜１１３の容量値Ｃ１，Ｃ２，Ｃ３については特に制約はないが、好ましくは容量Ｃ１，Ｃ２は実質的に等しく、容量値Ｃ３は過度に大きくしない方が、上述の動作が安定しやすくなる。
【００４８】
図７は、第１の電位供給線１０５と第２の中間点１２２との間に第１の容量１３１を接続し、第２の中間点１２２と第３の中間点１２３との間に第２の容量１３２を接続している。
【００４９】
一方図１０では、第２の電位供給線１０６と第２の中間点１２２との間に第１の容量１４１を接続し、第２の中間点１２２と第３の中間点１２３との間に第２の容量１４２を接続している。
【００５０】
図８および図９は、図７の電源回路の第１，第２の状態の各等価回路図であり、図１１および図１２は、図１０の電源回路の第１，第２の状態の各等価回路図である。
【００５１】
図７の電源回路にて第１〜第４のスイッチ１０１〜１０４を図１と同様にスイッチング動作させると、図８および図９に示すように、第１の状態にあっては第１，第２の容量１３１，１３２は互いに並列接続され、第２の状態にあっては第１，第２の容量１３１，１３２は直列接続されている。
【００５２】
同様に図１０の電源回路にて第１〜第４のスイッチ１０１〜１０４を図１と同様にスイッチング動作させると、図１１および図１２に示すように、第１の状態にあっては第１，第２の容量１３１，１３２は直列接続され、第２の状態にあっては第１，第２の容量１３１，１３２は互いに並列接続されている。
【００５３】
ここで、図７および図１０の電源回路では、それぞれ図８、図１２に示すように第１，第２の容量が並列接続されることで、第１，第２の容量の両端に印加される電圧が等しくなる。このときにチャージされる電荷を第１，第２の容量が保持するようにして安定するため、第２の中間点１２２の電位は第１，第２の電位供給線１０５，１０６間の電位差Ｖの中間電位（Ｖ／２）に収束する。
【００５４】
（液晶駆動用電源回路の説明）
次に、図１に示す電源回路要素を用いた液晶駆動用電源回路について、図１３および図１４を参照して説明する。図１３は、図１に示す電源回路要素を３つ組み合わせて構成した、１／４バイアス駆動法にて液晶を駆動する電源回路の回路図である。図１４は図１３の液晶駆動用電源回路より電位の供給を受ける走査信号としてのコモン信号ＣＯＭ０〜ＣＯＭ２およびデータ信号としてのセグメント信号ＳＥＧｎを示している。
【００５５】
図１３において、この液晶駆動用電源回路は、メイン電源回路２００と、第１のサブ電源回路２３０，第２のサブ電源回路２６０と、スイッチ駆動回路２９０とを有して構成されている。
【００５６】
メイン電源回路２００は、第１の電位供給線２０５と第２の電位供給線２０６との間に直列接続された第１〜第４のメインスイッチ２０１〜２０４を有する。各スイッチ２０１〜２０４にて分離された点を第１〜第３のメイン中間点２１１〜２１３とする。このメイン電源回路２００は、第１〜第４のメインスイッチ２０１〜２０４のスイッチング動作によって、接続状態が直列接続と並列接続とに交互に切り換えられる第１群の容量として、第１〜第３のメイン容量２２１〜２２３を有する。これら第１〜第３のメイン容量２２１〜２２３の接続は、図１と同じとなっている。
【００５７】
第１のサブ電源回路２３０は、第１の電位供給線２０５と第２のメイン中間点２１２との間に直列接続される第１〜第４のサブスイッチ２３１〜２３４を有する。各スイッチ２３１〜２３４にて分離された点を第１〜第３のサブ中間点２４１〜２４３とする。この第１のサブ電源回路２３０は、第１〜第４のサブスイッチ２３１〜２３４のスイッチング動作によって、接続状態が直列接続と並列接続とに交互に切り換えられる第２群の容量として、第１〜第３のサブ容量２５１〜２５３を有する。これら第１〜第３のサブ容量２５１〜２５３の接続も、図１と同じとなっている。
【００５８】
第２のサブ電源回路２６０は、第２のメイン中間点２１２と第２の電位供給線２０６との間に直列接続される第５〜第８のサブスイッチ２６１〜２６４を有する。各スイッチ２６１〜２６４にて分離された点を第４〜第６のサブ中間点２７１〜２７３とする。この第２のサブ電源回路２６０は、第５〜第８のサブスイッチ２６１〜２６４のスイッチング動作によって、接続状態が直列接続と並列接続とに交互に切り換えられる第３群の容量として、第４〜第６のサブ容量２８１〜２８３を有する。これら第４〜第６のサブ容量２８１〜２８３の接続も、図１と同じとなっている。
【００５９】
スイッチ駆動回路２９０の出力線とし、スイッチ駆動信号線２９１〜２９６が設けられている。これらスイッチ駆動信号線２９１〜２９６は、メイン電源回路２００および第１，第２のサブ電源回路２３０，２６０のそれぞれを、図１に示す電源回路と同じタイミングで駆動するものである。
【００６０】
ここで、第１，第２の電位供給線２０５，２０６の電位をそれぞれＶ０，Ｖ４とし、第２のサブ中間点２４２の電位をＶ１、第２のメイン中間点２１２の電位をＶ２、第５のサブ中間点２７２の電位をＶ３とする。この液晶駆動用電源回路は、上述の各電位Ｖ０〜Ｖ４を出力する。
【００６１】
スイッチ駆動回路２９０のスイッチング動作によって、メイン電源回路２００の第１〜第３のメイン容量２２１〜２２３の接続状態は、図３に示す第１の状態と図５に示す第２の状態とを繰り返す。この結果、第２のメイン中間点２１２の電位Ｖ２は、第１，第２の電位供給線２０５，２０６間の電位差の中間値（Ｖ０−Ｖ４）／２に収束する。
【００６２】
同様の理由から、第１のサブ電源回路２３０の動作によって、第２のサブ中間点２４２の電位Ｖ１は、第１の電位供給線２０５と第２のメイン中間点２１２との間の電位差の中間値（Ｖ０−Ｖ２）／２に収束する。また、第２のサブ電源回路２６０の動作によって、第５のサブ中間点２７２の電位Ｖ３は、第２のメイン中間点２１２と第２の電位供給線２０６との間の電位差の中間値（Ｖ２−Ｖ４）／２に収束する。
【００６３】
結果として、Ｖ０−Ｖ１＝Ｖ１−Ｖ２＝Ｖ２−Ｖ３＝Ｖ３−Ｖ４＝一定となる５レベルの電位Ｖ０〜Ｖ４が得られる。
【００６４】
この５レベルの電位Ｖ０〜Ｖ４を用いた液晶駆動用波形が図１４に示されている。図１４には、極性反転用交流信号ＦＲによってフレーム毎に液晶に印加される電圧の極性を反転させるためのコモン信号ＣＯＭ０〜ＣＯＭ２とセグメント信号ＳＥＧｎとが示されている。コモン信号中の電位Ｖ０，Ｖ４は選択電位であり、Ｖ１，Ｖ３は非選択電位である。セグメント信号中の電位Ｖ０，Ｖ４は例えば点灯電位であり、電位Ｖ２は非点灯電位である。
【００６５】
（他の液晶駆動用電源回路の説明）
図１５は、１／４以下のバイアス駆動法に用いられる例えば６レベルの液晶駆動用電位Ｖ０〜Ｖ５を生成する液晶駆動用電源回路の回路図である。図１５に示す液晶駆動用電源回路は、図１３に示すメイン電源回路２００に代わるメイン電源回路３００と、図１３に示す第１，第２のサブ電源回路２３０，２６０とを用いている。
【００６６】
メイン電源回路３００は、第１，第２の電位供給線３０１，３０２の間に直列接続された第１〜第３の抵抗器Ｒ１〜Ｒ３を有する。この第１〜第３の抵抗器Ｒ１〜Ｒ３にて分離された中間点を、第１，第２のメイン中間点３１１，３１２とする。
【００６７】
第１のメイン中間点３１１には第１のボルテージフォロア型オペレーションアンプ３２１が、第２のメイン中間点３１２には第２のボルテージフォロア型オペレーションアンプ３２２が接続されている。
【００６８】
第１のサブ電源回路２３０は、第１の電位供給線３０１の電位Ｖ０と第１のボルテージフォロア型オペレーションアンプ３２１の出力電位Ｖ２との間の中間電位Ｖ１［Ｖ１＝（Ｖ０−Ｖ２）／２］を出力する。
【００６９】
第２のサブ電源回路２６０は、第２のボルテージフォロア型オペレーションアンプ３２２の出力電位Ｖ３と第２の電位供給線３０２の電位Ｖ５との間の中間電位Ｖ４［Ｖ４＝（Ｖ３−Ｖ５）／２］を出力する。
【００７０】
第１，第２のサブ電源回路２３０，２６０は、スイッチ駆動信号線２９３〜２９６を有するスイッチ駆動回路２９０（図１５では図示せず）にて駆動される点は、図１３の場合と同じである。
【００７１】
図１５に示す電源回路は、図２１に示す４つのオペレーションアンプを用いた従来技術と比較して、およそオペレーションアンプ２個分の消費電流が減り、そこでの消費電流は従来のおよそ１／２にすることができる。
【００７２】
この６レベルの電位Ｖ０〜Ｖ５を用いた液晶駆動用波形が図１６に示されている。図１６において、極性反転用交流信号ＦＲによってフレーム毎に液晶に印加される電圧の極性を反転させるためのコモン信号ＣＯＭ０〜ＣＯＭ２とセグメント信号ＳＥＧｎとが示されている。
【００７３】
図１５に示す電源駆動回路中の高電位側の第１〜第４のサブスイッチ２３１〜２３４は、図１７に示すようにＰ型ＭＯＳトランジスタにて構成することができる。また、図１５に示す電源駆動回路中の低電位側の第５〜第８のサブスイッチ２６１〜２６４は、図１７に示すようにＮ型ＭＯＳトランジスタにて構成することができる。
【００７４】
これらＰ型ＭＯＳトランジスタ２３１〜２３４及びＮ型ＭＯＳトランジスタ２６１〜２６４のゲートに接続されるスイッチ駆動信号線２９２〜２９６の電位のタイミングチャートを図１８に示す。
【００７５】
図１８によれば、各スイッチのオン、オフタイミングは上述した通りであるが、各トランジスタ２３１〜２３４，２６１〜２６４のゲート電位は、第１の電位供給線３０１の電位Ｖ０と、第２の電位供給線３０２の電位Ｖ５との間で交互に変化している。
【００７６】
ここで、Ｐ型ＭＯＳトランジスタ２３１〜２３４のウェル電位はＶ０であり、Ｎ型ＭＯＳトランジスタ２６１〜２６４のウェル電位はＶ５である。Ｐ型ＭＯＳトランジスタ２３１〜２３４とＮ型ＭＯＳトラジスタ２６１〜２６４のゲート電位を、電位Ｖ１，Ｖ５に設定することで、各トランジスタのＯＮ時のソース−ゲート間の電圧を大きくとることができる。
【００７７】
図１８の例とは異なり、例えばＰ型ＭＯＳトランジスタ２３１のＯＮ時のゲート電位をＶ２、Ｎ型ＭＯＳトランジスタ２６１のＯＮ時のゲート電位をＶ３とした場合と比較すると、図１８に示す駆動法の方が、同じトランジスタ能力を持たすためのトランジスタサイズ例えばトランジスタ幅を小さくすることができる。このため、レイアウト上のトランジスタサイズを小さくすることができる。
【００７８】
図１９は、本発明の液晶駆動用電源回路が使用される液晶装置を示している。。この液晶装置は、例えば図１５または図１７に示す構成を有する液晶駆動用電源回路３５０と、走査電極および信号電極が形成された液晶パネル３６０と、液晶駆動用電源回路３５０から電源供給を受けて走査電極を駆動する走査電極駆動回路３７０と、液晶駆動用電源回路３５０から電源供給を受けて信号電極をそれぞれ駆動する信号電極駆動回路３８０とを有する。
【００７９】
単純マトリクス型液晶装置の場合、走査電極はコモン電極、信号電極はセグメント電極と称されるが、本発明は他の駆動方式例えばアクティブマトリクス型液晶装置にも適用できることは言うまでもない。
【図面の簡単な説明】
【図１】  本発明の液晶駆動用電源回路の要部の一例を示す回路図である。
【図２】  図１に示す回路の第１の状態を示す回路図である。
【図３】  図２に示す第１の状態の等価回路図である。
【図４】  図１に示す回路の第２の状態を示す回路図である。
【図５】  図４に示す第２の状態の等価回路図である。
【図６】  図１の回路中の一部の容量を液晶容量にて代用した回路図である。
【図７】  本発明の液晶駆動用電源回路の要部の他の例を示す回路図である。
【図８】  図７に示す回路での第１の状態を示す等価回路図である。
【図９】  図７に示す回路での第２の状態を示す等価回路図である。
【図１０】  本発明の液晶駆動用電源回路の要部のさらに他の例を示す回路図である。
【図１１】  図１０に示す回路での第１の状態を示す等価回路図である。
【図１２】  図１０に示す回路での第２の状態を示す等価回路図である。
【図１３】  図１に示す回路要素を組み合わせて構成した本発明の実施の形態に係る液晶駆動用電源回路の回路図である。
【図１４】  図１３に示す電源回路にて生成される電位を有する液晶駆動信号の波形図である。
【図１５】  本発明のさらに他の実施の形態に係る液晶駆動用電源回路の回路図である。
【図１６】  図１５に示す電源回路にて生成される電位を有する液晶駆動信号の波形図である。
【図１７】  図１５に示すスイッチをＰ型及びＮ型ＭＯＳトランジスタにて構成した液晶駆動用電源回路の回路図である。
【図１８】  図１７に示すＰ型及びＮ型ＭＯＳトランジスタのゲートに供給される信号のタイミングチャートである。
【図１９】  本発明の実施の形態に係る液晶装置のブロック図である。
【図２０】  抵抗分割方式の従来の液晶駆動用電源回路の回路図である。
【図２１】  図２０の回路の出力段にボルテージフォロア型オペレーションアンプを接続した従来の他の液晶駆動用電源回路の回路図である。
【図１】
0003981526.tif 000002
【図２】
0003981526.tif 000003
【図３】
0003981526.tif 000004
【図４】
0003981526.tif 000005
【図５】
0003981526.tif 000006
【図６】
0003981526.tif 000007
【図７】
0003981526.tif 000008
【図８】
0003981526.tif 000009
【図９】
0003981526.tif 000010
【図１０】
0003981526.tif 000011
【図１１】
0003981526.tif 000012
【図１２】
0003981526.tif 000013
【図１３】
0003981526.tif 000014
【図１４】
0003981526.tif 000015
【図１５】
0003981526.tif 000016
【図１６】
0003981526.tif 000017
【図１７】
0003981526.tif 000018
【図１８】
0003981526.tif 000019
【図１９】
0003981526.tif 000020
【図２０】
0003981526.tif 000021
【図２１】
0003981526.tif 000022